(57)【要約】      （修正有）【課題】液晶パネルやディスプレイパネルなどのディスプレイ平面体を取扱うさいに使用する保護枠であって、厚紙を使用し安価且つ簡便に作成できるものとなし、また再利用を可能にする。【解決手段】巾寸法を３ｃｍ〜７ｃｍ、肉厚寸法を１ｍｍ〜２ｍｍとなした一定長さ寸法の板紙部材であって、該板紙部材の３枚〜７枚を使用して片端が側面凸部ｍ、他端が側面凹部ｎとなるようサンドイッチ状に重ね合わせた合紙板２を形成し、該合紙板の側面凸部と側面凹部に対し、他の合紙板の側面凹部と側面凸部を交互に嵌着させて方形縁枠を作成し、液晶パネルやプラズマテレビなどディスプレイ平面体の包装のさい、上記平面体の縁端保護用として組合せ使用する。【選択図】図３
0003117310.tif 000002
【実用新案登録請求の範囲】
【請求項１】
巾寸法を３ｃｍ〜７ｃｍ、肉厚寸法を１ｍｍ〜２ｍｍとなした一定長さ寸法の板紙部材であって、該板紙部材の３枚〜７枚を使用して片端が側面凸部、他端が側面凹部となるようサンドイッチ状に重ね合わせた合紙板を形成し、該合紙板の側面凸部と側面凹部に対し、他の合紙板の側面凹部と側面凸部を交互に嵌着させて方形縁枠を作成し、液晶パネルやプラズマテレビなどディスプレイ平面体の包装のさい、上記平面体の縁端保護用として組合せ使用することを特徴とした組合せ使用の紙製保護枠。
【請求項２】
上記合紙板の長さ寸法は５０ｃｍ〜２５０ｃｍであり、且つ側面凸部と側面凹部の長さ寸法は３ｃｍ〜７ｃｍとなしたことを特徴とする請求項１記載の組合せ使用の紙製保護枠。
【請求項３】
上記合紙板は再生紙を使用したことを特徴とする請求項１又は２記載の組合せ使用の紙製保護枠。
【考案の詳細な説明】
【技術分野】
【０００１】
本考案は、液晶パネルやプラズマテレビなどのディスプレイ平面体に於ける緩衝防止のための組合せ使用の紙製保護枠に関するものである。
【背景技術】
【０００２】
従来、液晶パネルやプラズマテレビのディスプレイパネルなどの平面体を保護するには、段ボール製厚板紙を使用しその中央部を適宜大きさの四角形に型抜きした方形枠を作成したものを前後間に介装させることにより、保管時や運搬時に起こる損傷や欠損を防止することが行われている。
【特許文献１】特開２００１−２２５８８９
【考案の開示】
【考案が解決しようとする課題】
【０００３】
上記段ボール製の方形枠は、その製作に際して夫々れの大きさ寸法で型抜きの作業を行わなければならず、この作業は多大な手間が掛かるものとなっている。また型抜きされた内方の厚板紙は、専ら廃棄処分されるものとなるため、無駄な損失によるコスト高の原因をなしていた。
【０００４】
近年、パソコンやプラズマテレビなど急速な普及により液晶パネルやディスプレイパネル用の平面体の製造が増加し、それに伴い平面体の保管や運搬時に於いて緩衝防止のための保護枠が必要不可欠なものとなり、またその生産に際してもコストを削減できるものが要望されるものとなっている。
【０００５】
本考案は上記問題を解決するべく、液晶パネルやディスプレイパネルなどのディスプレイ平面体を損傷することなく安全且つ迅速に保管や運搬ができ、また生産コストも大幅に削減できる紙製保護枠を市販に供せんとするものである。
【課題を解決するための手段】
【０００６】
本考案は巾寸法を３ｃｍ〜７ｃｍ、肉厚寸法を１ｍｍ〜２ｍｍとなした一定長さ寸法の板紙部材であって、該板紙部材の３枚〜７枚を使用して片端が側面凸部、他端が側面凹部となるようサンドイッチ状に重ね合わせた合紙板を形成し、該合紙板の側面凸部と側面凹部に対し、他の合紙板の側面凹部と側面凸部を交互に嵌着させて方形縁枠を作成し、液晶パネルやプラズマテレビなどディスプレイ平面体の包装のさい、上記平面体の縁端保護用として組合せ使用するものである。
【０００７】
このさい、合紙板の長さ寸法は５０ｃｍ〜２５０ｃｍであり、且つ側面凸部と側面凹部の長さ寸法は３ｃｍ〜７ｃｍとなしたり、再生紙を使用したりする。
【考案の効果】
【０００８】
本考案は、液晶パネルやプラズマテレビなどディスプレイ平面体の保管や運搬のさい、上記平面体の前後間へ当接させ、緩衝材として作用させるのであり、このさい方形枠は長方形の板材の複数を適宜組合せ使用して作成することから、型取りが容易で且つロスを生じさせることがなく、従って安価な大量生産を可能にするものとなる。
【０００９】
なお、本考案の保護枠は紙材使用のため使用後は容易に溶解再生させ、何回もリサイクル使用を可能にするのであり、従来の木材品で焼却処分したりすることがないため、公害や環境問題の点でも優れたものとなるのである。
【考案を実施するための最良の形態】
【００１０】
本考案の実施の形態について、以下図面を参照して説明する。
図１は本考案に係る組合せ使用例の紙製保護枠の全体斜視図である。１は紙製保護枠本体を示す。
【００１１】
図２Ａ，Ｂ，Ｃは上記紙製保護枠の作成順序を示すものであって、先ず一定大きさの母材用厚紙板を適当寸法に切断し、長方形の単一板紙部材の多数を作成する。このさい、単一板紙部材の巾寸法ｗは３ｃｍ〜７ｃｍ、肉厚寸法ｔは１ｍｍ〜２ｍｍ、長さ寸法は８０ｃｍ〜２５０ｃｍとなされる。図２Ｂは上記板紙部材の３枚（１ａ，１ｂ，１ｃ）を上下方向で重合させるのであり、該重合にさいしては中央の単一板紙部材１ｂの上下方向を他の単一板紙部材１ａ，１ｃを、その長さ方向で少しずらせることにより片端が側面凸部ｍ、他端が側面凹部ｎとなるようサンドイッチ状に重ね合わせ状態に貼着させ、図２Ｃに示す如き合紙板２を作成する。
【００１２】
上記に於ける合紙板２の側面凸部ｍや側面凹部ｎの長さ寸法Ｊ，Ｋは任意に設計することができるが、通常３ｃｍ〜７ｃｍとなされる。図示例では３枚の板紙部材１ａ，１ｂ，１ｃを使用したものを示したが、他の例として５枚、６枚、７枚など使用する場合、サンドイッチ状に挟まれる中央は１枚、或いは２枚若しくは３枚などの重合板紙にするのである。
【００１３】
図３は上記の如く構成した合紙板２の４個を使用して方形枠を組立てる状態説明図である。即ち該図に示す如く各合紙板２の側面凸部ｍと側面凹部ｎに対し、他の合紙板２の側面凹部ｎと側面凸部ｍを互い違いに嵌入させるのであり、嵌入にさいしては糊剤を使用して固着されるようにするのである。
【００１４】
図４は上記の如くなして構成した方形縁枠３の２個で液晶パネル４の周縁を保護した状態図であり、実際の運搬取扱いでは図示一点鎖線の如く紐掛け５がなされて行われる。
【００１５】
本考案は以上の通り構成するのであり、単一の板紙部材を一定大きさの母材から一切のロスのないように裁断することができるのであり、またこれらの重ね合わせ貼着を手作業は勿論のこと、機械的作業でも容易に行えるのであり、而して該重ね合わせした合紙板は適当な長さ寸法のものを複数種類作成しておくことにより、方形枠に限らず随時縦・横長さの異なる長方形枠などの作成も容易に行えるものとなるのであって、汎用性ある対応が迅速且つ適確に行えるものとなり、作業性能の向上に寄与すること大ならしめる。
また、全て紙材を使用した構成のため、使用済み後の再生処理も容易であって、省資源とコストの低減化にも寄与するものとなる。
【図面の簡単な説明】
【００１６】
【図１】本考案に係る一例の組合せ使用の紙製保護枠の全体斜視図である。
【図２】本考案に係る紙製保護枠の作成順序を示す図である。
【図３】本考案に係る紙製方形枠の組立て状態図である。
【図４】本考案に係る方形縁材で液晶パネルの周縁を保護する状態説明図である。
【符号の説明】
【００１７】
１      紙製保護枠
１ａ，１ｂ，１ｃ    板紙部材
２      合紙板
ｍ      側面凸部
ｎ      側面凹部
３      方形縁枠
４      液晶パネル
５      紐掛け
【図１】
0003117310.tif 000003
【図２】
0003117310.tif 000004
【図３】
0003117310.tif 000005
【図４】
0003117310.tif 000006